(57)【要約】本発明は、携帯用端末機の取っ手構造に関し、より詳細には、スマートフォンのような携帯用端末機の背面に設置した帯(ベルト)型取っ手構造に関する。本発明の携帯用端末機の背面１に形成される取っ手構造は、前記背面に１１字形状で平行に形成された固定ホール３、３’と、前記固定ホールに両端５１、５１’が挿入固定されたベルト型取っ手５と、を含み、前記ベルト型取っ手５は、固定部であるベルト両端５１、５１’と折り畳み部５５、そして両側折り畳み部から延長される身体接触部５３で形成され、前記身体接触部の形状は、中央の幅が狭くて両側折り畳み部に行くほど広くなる湾曲型であり、前記折り畳み部５５は、円筒状で形成され、折り畳み部の内側面にシリコーン層５７を圧搾形成するが、前記シリコーン層は、固定ホール３、３’の内側ホールジョー３３を取り囲むように延長される。
2014517584.tif 000002
【特許請求の範囲】
【請求項１】
携帯用端末機の背面１に形成される取っ手の構造であって、
前記背面には、固定ホール３、３’が１１字形状で平行に形成され、前記固定ホールにベルト型取っ手５の固定部であるベルト両端５１、５１’が挿入されて固定されたことを特徴とする携帯用端末機の取っ手構造。
【請求項２】
前記ベルト型取っ手５は、固定部であるベルト両端５１、５１’と折り畳み部５５、そして両側折り畳み部から延長される身体接触部５３で形成され、前記身体接触部の形状は、中央の幅が狭くて両側折り畳み部に行くほど広くなる湾曲型からなることを特徴とする請求項１に記載の携帯用端末機の取っ手構造。
【請求項３】
前記折り畳み部５５は、円筒状で形成され、折り畳み部の内側面にシリコーン層５７が圧搾形成され、前記シリコーン層は、固定ホール３、３’の内側ジョー３３を取り囲むように延長されたことを特徴とする請求項２に記載の携帯用端末機の取っ手構造。
【請求項４】
前記折り畳み部５５と身体接触部５３との間に誘導羽５４が形成されたことを特徴とする請求項２に記載の携帯用端末機の取っ手構造。
【請求項５】
前記固定部であるベルト両端５１、５１’は、各々両側固定ホール３、３’に挿入されて端末機背面の裏面に両端がお互いに対向するか背にする方向で接着固定されたことを特徴とする請求項４に記載の携帯用端末機の取っ手構造。
【請求項６】
前記固定ホール３、３’は、内側ホールジョー３３がラウンディング処理されたことを特徴とする請求項５に記載の携帯用端末機の取っ手構造。
【請求項７】
前記固定ホール３、３’は、携帯用端末機の幅方向(短い辺)と平行に形成されることで前記ベルト型取っ手５が携帯用端末機の長手方向(長い辺)に装着されたことを特徴とする請求項１乃至請求項６のいずれか１項に記載の携帯用端末機の取っ手構造。
【請求項８】
前記固定ホール３、３’は、携帯用端末機の背面または保護カバーの背面１に直接穿孔されたことを特徴とする請求項１乃至請求項６のいずれか１項に記載の携帯用端末機の取っ手構造。
【請求項９】
前記固定ホール３、３’は、携帯用端末機の背面または保護カバーの背面と装着板７の両端に形成された溝により形成されたことを特徴とする請求項１乃至請求項６のいずれか１項に記載の携帯用端末機の取っ手構造。
【請求項１０】
前記固定ホール３、３’の内側ホールジョー３３は、切開部３６を具備して曲がることができる弾性片３７で形成されたことを特徴とする請求項３乃至請求項６のいずれか１項に記載の携帯用端末機の取っ手構造。
【請求項１１】
前記ベルト型取っ手５は、その材質が皮または織物であることを特徴とする請求項１乃至請求項６のいずれか１項に記載の携帯用端末機の取っ手構造。
【請求項１２】
前記弾性片３７は、表面または/及び裏面が内側ホールジョー３３を向けて傾いたことを特徴とする請求項１０に記載の携帯用端末機の取っ手構造。
【発明の詳細な説明】
【技術分野】
【０００１】
本発明は、携帯用端末機の取っ手構造に関し、より詳細には、スマートフォンのような携帯用端末機の背面に設置した帯(ベルト)型の取っ手構造に関する。
【背景技術】
【０００２】
最近、脚光を浴びているいわゆるスマートフォンは、バッテリーとメモリーなどの性能発達に従って軽量化しながら携帯が容易になることにより徐徐により広い画面の携帯用端末機が発売開始されている。
【０００３】
しかし、このような携帯用端末機の画面が広くなることにより器機の幅が広くなって、手が小さいユーザは一手だけで機器を握って操作しにくくなっている。
【０００４】
それで、本発明者は、器機の厚さなど外形を変形させないで手が小さいユーザも一手だけで機器を容易に操作できるように、スマートフォンの背面に帯型(ベルト型)取っ手を付着するが、一層便利な構造で形成して、このような問題点を解決した。
【発明の概要】
【発明が解決しようとする課題】
【０００５】
したがって、 前記のような従来の諸問題点を解消するために提案されたものであって、本発明の目的は、携帯用端末機、特に、スマートフォンに機器を支持することができる取っ手を提供することにある。
【０００６】
本発明の他の目的は、端末機のバックカバー自体に取っ手が装着された構造または別途のカバーに取っ手を装着する構造を提供することにある。
【０００７】
本発明のまた他の目的は、携帯用端末機に取っ手を提供するが、ユーザに便利な構造の取っ手を提供することにある。
【課題を解決するための手段】
【０００８】
前記課題を達成するための本発明による携帯用端末機の背面１に形成される取っ手の構造は、端末機の背面カバーに１１字形状で平行に形成された固定ホール３、３’と、前記固定ホールにベルトの両端５１、５１’が挿入固定されたベルト型取っ手５と、で構成される。
【０００９】
前記ベルト型取っ手５は、固定部であるベルト両端５１、５１’と折り畳み部５５、そして両側の折り畳み部から延長される身体接触部５３で形成される。前記身体接触部の形状を中央の幅が狭くて両側折り畳み部に行くほど広くなる湾曲型で製作すれば、捩れることが防止されて使用時に指が容易に挿入されて端末機の把指が容易である。
【００１０】
ここで、身体接触部が始まる地点を折り畳み部と多少離隔される地点とすれば、使用時に引張力が減少して誘導羽５４が形成されて指の挿入を誘導するので、より好ましい。
【００１１】
前記折り畳み部５５は、円筒状で形成し、折り畳み部の内側面にシリコーン層５７を圧搾形成する。前記シリコーン層を固定ホール３、３’の内側ジョー３３を取り囲むように延長すれば、弾性がよくなり、折り畳み部が容易に摩耗されることを防止することができる。
【００１２】
このましくは、前記折り畳み部５５と固定部であるベルト両端５１、５１’は、その厚さが身体接触部５３の３０％〜７０％である。ベルトの固定部であるベルト両端の厚さは、背面内側に位置する内部部品(保護カバーの場合にはケースの後表面)の間の空間を考慮したものである。また、前記ベルト型取っ手の固定部であるベルト両端５１、５１’は、各々固定ホール３、３’に挿入されて端末機背面の内側面にお互いに対向する方向で接着固定されることが好ましい。
【００１３】
前記固定ホール３、３’は、ホールジョー(ｈｏｌｅ  ｊａｗ)３３が前記取っ手の固定部であるベルト両端５１、５１’が進行する方向にラウンディング処理され、携帯用端末機の幅方向(短い辺)と平行に形成されることで、前記ベルト型取っ手５が携帯用端末機の長手方向(長い辺)に装着される。
【００１４】
前記携帯用端末機の背面１は、携帯用端末機自体のバックカバーまたは携帯用端末機に追加で装着する保護カバーの背面や別に重なって装着する装着板であってもよい。 
【発明の効果】
【００１５】
請求項１〜請求項９によれば、携帯用端末機、特にスマートフォンに機器を支持することができる取っ手を提供することができる。
【００１６】
請求項８によれば、端末機のバックカバー自体に取っ手が装着された構造または別途の保護カバーに装着された取っ手を提供することができる。
【００１７】
請求項１〜請求項９によれば、ユーザに便利な構造の携帯用端末機取っ手を提供することができる。
【００１８】
特に、図９に示したように、スマートフォンと取っ手ベルトとの間に中指を挿入して人差し指と薬指で外部をそっと押しながら指を器機側にちょっと窄めれば(図１０)、手の平や親指の影響を受けないで指１個〜３個のみで機器を手に固定させることができる。
【００１９】
このような効果は、以前には器機の側面を手の平と残り指で取って親指として画面をタッチしたが、本発明の場合、指端をベルトに挿入することだけで機器を取ることができるので、親指の使用範囲が広くて自由になり、機器を落として破損させる危険も顕著に減る。
【００２０】
したがって、手の小さいユーザは勿論、画面が広いスマートフォンやタブレット型パソコンも、誰でも一手のみで自由に使用することができる非常に有用な発明である。
【図面の簡単な説明】
【００２１】
図１は、本発明の端末機取っ手の分解斜視図である。
図２は、本発明の端末機取っ手が結合された状態を示す図である。
図３は、図２のＡ−Ａ方向に沿って切断した断面図である。
図４は、本発明が適用された端末機カバーの内側斜視図である。
図５は、ベルト型取っ手のまた他の実施例を示す断面図である。
図６は、(Ａ)は固定ホールのまた他の実施例を示す表面図であり、(Ｂ)は固定ホールのまた他の実施例を示す裏面図である。
図７は、別途の装着板を使用した実施例の分解斜視図である。
図８は、図７の装着板に形成された固定部の構造図である。
図９は、本発明の使用状態図である。
図１０は、本発明の使用状態図である。
図１１は、本発明の使用状態図である。
【発明を実施するための形態】
【００２２】
以下、本発明を明確で且つ容易に理解できるように添付図面を参照して説明する。本発明で使用する用語「携帯用端末機」は、いわゆる携帯電話、スマートフォン、タブレット型パソコン、ＰＤＡ、ＰＭＰなどを総称する。
【００２３】
本明細書で使用する用語「背面１」は、器機本体ケースの後部分のカバー面を指称するかまたは端末機(以下、「器機」とも言う)本体ケースの後部分に装着される保護カバーの表面を意味する。すなわち、図１乃至図６に示した実施例は、保護カバーに本発明が具現された例であり、図９乃至図１１は、器機本体の背面に本発明を具現した例である。図７と図８は、前記背面に装着板７を利用して器機本体または保護カバーの背面に具現した例である。
【００２４】
本発明で使用する用語「ベルト型取っ手」は、帯型の以外にそれと類似な形態のものも可能である。したがって、本発明で使われる用語「ベルト型取っ手」は、必ずベルト型に限定されるものではなく、これに準するものを含む意味で使用する。
【００２５】
図１は、本発明の一実施例として、スマートフォンの保護カバーにベルト型取っ手を具現したこと示す分解斜視図である。スマートフォン本体(未図示)の背面に結合される保護カバーの背面１(図面上では表面)に２個の一字形固定ホール３、３’を１１字状で平行に形成し、この固定ホール３、３’にベルト型取っ手の固定部であるベルト両端５１、５１’を挿入して保護カバーの裏面(内側表面)に接着固定した(図３、図４)。
【００２６】
ここで、ベルト両端５１、５１’は、図１のように、お互いに対向する方向で折って接着するか、反対にお互いに背にする方向で接着(図４の点線表示)してもよい。
【００２７】
図１と図２の図面符号５４は、固定ホール３、３’で取っ手ベルトに形成された誘導羽である。誘導羽５４は、身体接触部が始まる地点を折り畳み部と多少離隔された地点に形成することで、使用時に引張力が減少するとともに、多少突出形成されるので、指の挿入をより容易にする機能をする。
【００２８】
ここで、接着は、一つの固定手段として、その外の方法を使用しても関係ない。但し、接着が製造単価も低くて、工程が容易であり、製品の外形に及ぶ影響が少ないとともに固定力が優秀なので、他の方法より好ましい。
【００２９】
取っ手５(必要に応じて「ベルト」とも略称する)の形態は、図１及び図２に示したように、関節に該当する両側折り畳み部５５から中央に行くほど細くなる形状が好ましい。
【００３０】
本発明の取っ手は、身体の中で一つの指を挿入して使用する。このようにベルトの両側端が内側中央側へ緩やかに傾斜を成すと、傾斜面に沿って指の移動が自然に誘導され、幅の狭い中央部が器機背面で容易に透けて指を挿入しやすい。
【００３１】
また、湾曲の身体接触部５３(指挿入部)の形状は、使用時にベルト内側に挿入された指の背と接触する面積が狭くて着心地がよく、使用時に必要に応じて、器機の方向を転換するとき抵抗が少なくて、ベルトの中央部が捩れることを防止することができるという利点がある。
【００３２】
図２は、本発明の構成要素が組み立てられた結合図である。図２に示したように、ベルト型取っ手の装着位置は、器機の中央に器機の長手方向であることが好ましい。しかし、必ず真中のみを意味することではなく、これと類似な位置であっても関係ない。
【００３３】
図３は、図２のＡ−Ａに沿って切断した断面図である。固定部であるベルト両端５１、５１’は、ベルトの身体接触部５３に比べて薄くて広いことが好ましい。折り畳み部５５と固定部であるベルト両端５１、５１’は、その厚さが身体接触部５３の２０％〜７０％であり、好ましくは、４０％程度である。
【００３４】
このようにすれば、器機の内部(または器機の後表面)とカバーとの間の狭い空間に収容されて器機の内部部品(または器機の後表面)を圧迫しないで、折り畳み部５５に柔軟な関節機能を提供し、薄い背面に接着面を広くして、使用時に固定ホール３、３’を通じて伝達される引張力による切断圧力を分散させる利点がある。
【００３５】
図３に示したように、関節に該当する折り畳み部５５を円筒状にすれば、ベルトが器機表面に容易に安着されるか機器から容易に離隔され、折り畳み部の内側にシリコーンのような材質の弾性体層５７を形成すれば、関節運動が円滑に行われて使用感がよくなる。
【００３６】
また、図３に示したように、ベルトが経る固定ホールのホールジョー３３は、固定部であるベルト両端が進行する方向にラウンディング処理すれば、折り畳み部５５の関節作用が円滑になり、ホールジョーの接触部から発生するベルトの損傷を遅延させることができる。未説明符号３１は、外側ホールジョーであり、本実施例では、この部分も凹状で処理した。
【００３７】
また、ベルト材質は、適当な伸縮性と強い引張力を有すると共に皮膚反応の良い材質が一番好ましい。このような材質では、天然皮または強くて柔軟な合成糸とシリコーンのような柔軟な接合材を挙げることができるが、必ずこれに限定されるものではない。
【００３８】
本発明の実施のための形態
図５は、ベルト型取っ手５が結合されたまた他の構造を示した断面図である。上述の実施例と異なる点は、固定ホール３、３’の大きさをより大きくして折り畳み部５５が固定ホール内に収容されるようにし、内側ホールジョー３３の両端に切開部３６を形成することでホールジョーを弾性片３７で形成した点である。
【００３９】
固定ホールの大きさを大きくした理由は、折り畳み部５５の上面の丸い部分が突出されないようにすると同時にベルト型取っ手５に指が挿入されなかった状態でベルト型取っ手５が器機の表面に密着されるようにするためである。内側ホールジョー３３を弾性片３７にしたこともこのような役目を補助するためである。
【００４０】
すなわち、普段には前記弾性片３７が取っ手ベルトの固定部であるベルト両端５１、５１’を器機の表面を向けて密着させており、内側ホールジョー３３により大きい力が加えられる時には、弾性片３７が上側へ曲がり、力が弱化されると、さらに本来の位置に復元される。
【００４１】
図５の(Ａ)は、弾性片の表面と裏面を傾斜面とした断面図であり、(Ｂ)は、裏面のみを傾斜面にした断面図である。弾性片の表面または/及び裏面を内側ホールジョーを向けた傾斜面にする場合、これにあわせて固定部であるベルト両端５１、５１’も傾くようにすることが好ましい。
【００４２】
図６は、図５の(Ａ)に示した固定ホール３及び切開部３６として、内側ホールジョー３３を弾性片３７で形成した表面図(Ａ)と裏面図(Ｂ)である。本実施例では、図５及び図６に示したように、弾性片の裏面(底面)の場合には、内側ホールジョーの反対側傾斜面の先端の段差３８を形成したが、表面には段差を形成しないことが好ましい。
【００４３】
図７は、ベルト型取っ手５を別途の装着板７を利用して器機の背面１に装着した例を示した図である。この場合、固定ホール３、３’は、機器本体または保護カバーの背面１と、図８の(Ｂ)に示した装着板７の内側ホールジョー３３の下側傾斜面が結合しながら形成される。
【００４４】
本実施例で装着版７は、ベルト型取っ手５の幅より多少大きく製作したが、固定部であるベルト両端やホールジョーの形態は、上述の実施例と同一である。本実施例では、装着板を角の板で示したが、実際ではユーザの指がかからないように装着板の角を丸く処理するか傾斜面で処理することが好ましい。
【００４５】
以上、添付した図面を参照して本発明の実施形態について説明したが、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図１】
2014517584.tif 000003
【図２】
2014517584.tif 000004
【図３】
2014517584.tif 000005
【図４】
2014517584.tif 000006
【図５】
2014517584.tif 000007
【図６】
2014517584.tif 000008
【図７】
2014517584.tif 000009
【図８】
2014517584.tif 000010
【図９】
2014517584.tif 000011
【図１０】
2014517584.tif 000012
【図１１】
2014517584.tif 000013
【国際調査報告】
2014517584.tif 000014
2014517584.tif 000015
2014517584.tif 000016
2014517584.tif 000017